(57)【要約】【課題】  映像データの検索が容易な映像データの登録検索システムの提供。【解決手段】  撮影機能と撮影映像データの通信機能を持つ携帯端末と、該携帯端末で撮影した映像を受信し、映像データ記録用ディスクに格納する映像録画・検索サーバを含む映像データの登録検索方法であって、携帯端末で撮影した映像データを映像データファイル名を付して格納する映像データ記録用ディスク２と、携帯端末の識別情報と該識別情報に対応する所有者名とを格納する携帯端末情報データベース４と、撮影した映像データに付随する映像データファイル名と撮影日時情報と携帯端末の識別情報から得た所有者名とを格納する撮影情報データベース３とを用いし、所有者名を基に映像データファイル名を検索し、該映像データファイル名を基に映像データ記録用ディスク２から映像データを検索するシステム。【選択図】  図１
2006040164.tif 000002
【特許請求の範囲】
【請求項１】
映像の撮影機能と該撮影した映像データの通信機能を持つ携帯端末と、該携帯端末で撮影した映像を通信回線を介して受信し、映像データ記録用ディスクに格納する映像録画・検索サーバを含む映像データの登録検索システムにおいて、
前記携帯端末で撮影した映像データを映像データファイル名を付して格納する映像データ記録用ディスクと、
携帯端末の識別情報と該識別情報に対応する所有者名とを格納する携帯端末情報データベースと、
前記携帯端末で撮影した映像データに付随する映像データファイル名と携帯端末の識別情報から得た所有者名とを格納する撮影情報データベースとを備え、
映像録画・検索サーバが、前記所有者名を基に携帯端末情報データベースから携帯端末の識別情報を検索し、該検索した識別情報を基に撮影情報データベースから前記識別情報に対応する所有者名を検索し、該検索した所有者名に対応する映像データファイル名を検索し、該映像データファイル名を基に映像データ記録用ディスクから映像データを検索することを特徴とする映像データの登録検索システム。
【請求項２】
前記携帯端末が、該携帯端末の緯度経度からなる位置情報を検出する位置情報検出機能と撮影時の日時を発生する日時機能を含むと共に、撮影情報データベースが、撮影日時と位置情報とを格納し、
映像録画・検索サーバが、位置情報及び又は日時情報とを用いて撮影情報データベースから前記位置情報及び又は日時情報に対応する映像データファイル名を検索することを特徴とする請求項１記載の映像データの登録検索システム。
【請求項３】
映像の撮影機能と該撮影した映像データの通信機能を持つ携帯端末と、該携帯端末で撮影した映像を通信回線を介して受信し、映像データ記録用ディスクに格納する映像録画・検索サーバを含む映像データの登録検索方法であって、
前記携帯端末で撮影した映像データを映像データファイル名を付して格納する映像データ記録用ディスクと、携帯端末の識別情報と該識別情報に対応する所有者名とを格納する携帯端末情報データベースと、前記携帯端末で撮影した映像データに付随する映像データファイル名と携帯端末の識別情報から得た所有者名とを格納する撮影情報データベースとを用意し、
前記所有者名を基に携帯端末情報データベースから携帯端末の識別情報を検索する第１ステップと、該検索した識別情報を基に撮影情報データベースから前記識別情報に対応する所有者名を検索する第２ステップと、該検索した所有者名に対応する映像データファイル名を検索する第３ステップと、該映像データファイル名を基に映像データ記録用ディスクから映像データを検索する第４ステップとを含むことを特徴とする映像データの登録検索方法。
【請求項４】
前記携帯端末が、該携帯端末の緯度経度からなる位置情報を検出する位置情報検出機能と撮影時の日時を発生する日時機能を含み、
撮影情報データベースが、撮影日時及び又は位置情報とを格納する第５ステップと、位置情報と日時情報とを用いて撮影情報データベースから前記位置情報及び又は日時情報に対応する映像データファイル名を検索する第６ステップとを含むことを特徴とする請求項３記載の映像データの登録検索方法。
【発明の詳細な説明】
【技術分野】
【０００１】
本発明は、ＴＶ電話機能または映像配信機能を有する携帯端末を利用して撮影した映像情報を効率的に検索することができる映像データの登録検索システム及び登録検索方法に関する。
【背景技術】
【０００２】
近年、静止画及び動画（以下、映像と呼ぶ）の記録機能を備えたデジタルカメラ／携帯電話／ＰＤＡが普及しており、この携帯電話等で撮影した映像をサーバに保管し、例えば出張報告における工事の進捗状況の報告等に使用する利用形態が採用されている。前記映像のデータのサーバへの転送は、例えばディジタルカメラにおいては当該カメラのメモリからサーバにメディアコンバータを介して行われ、通信機能を有する携帯電話等においては通信によって行われている。
【０００３】
尚、前記通信回線を介して映像データ等を外部大容量の記録媒体に記録するシステムに関する技術が記載された文献としては、下記特許文献が挙げられる。
【特許文献１】特開２００２−３４４８５６号公報
【発明の開示】
【発明が解決しようとする課題】
【０００４】
前述した従来技術は、例えば出張先で撮影した映像データを本社のサーバ等に転送することができるものの、出張者が自己の撮影した任意の映像データを検索しようとした場合、一般的に映像データのファイル名が単純なシリアル番号及び日付を基に記録されるため、自己の撮影した任意の映像データを検索することが困難であると言う不具合があった。
【０００５】
本発明の目的は、前記従来技術による不具合を除去することであり、出張などの外出先で撮影した映像データを容易に且つ効率的に検索することができる映像データの登録検索システム及び登録検索方法を提供することである。
【課題を解決するための手段】
【０００６】
前記目的を達成するため本発明は、映像の撮影機能と該撮影した映像データの通信機能を持つ携帯端末と、該携帯端末で撮影した映像を通信回線を介して受信し、映像データ記録用ディスクに格納する映像録画・検索サーバを含む映像データの登録検索システムにおいて、前記携帯端末で撮影した映像データを映像データファイル名を付して格納する映像データ記録用ディスクと、携帯端末の識別情報と該識別情報に対応する所有者名とを格納する携帯端末情報データベースと、前記携帯端末で撮影した映像データに付随する映像データファイル名と携帯端末の識別情報から得た所有者名とを格納する撮影情報データベースとを備え、映像録画・検索サーバが、前記所有者名を基に携帯端末情報データベースから携帯端末の識別情報を検索し、該検索した識別情報を基に撮影情報データベースから前記識別情報に対応する所有者名を検索し、該検索した所有者名に対応する映像データファイル名を検索し、該映像データファイル名を基に映像データ記録用ディスクから映像データを検索することを第１の特徴とし、この映像データの登録検索システムにおいて、前記携帯端末が、該携帯端末の緯度経度からなる位置情報を検出する位置情報検出機能と撮影時の日時を発生する日時機能を含むと共に、撮影情報データベースが、撮影日時と位置情報とを格納し、映像録画・検索サーバが、位置情報及び又は日時情報とを用いて撮影情報データベースから前記位置情報及び又は日時情報に対応する映像データファイル名を検索することを第２の特徴とする。
【０００７】
更に本発明は、映像の撮影機能と該撮影した映像データの通信機能を持つ携帯端末と、該携帯端末で撮影した映像を通信回線を介して受信し、映像データ記録用ディスクに格納する映像録画・検索サーバを含む映像データの登録検索方法であって、前記携帯端末で撮影した映像データを映像データファイル名を付して格納する映像データ記録用ディスクと、携帯端末の識別情報と該識別情報に対応する所有者名とを格納する携帯端末情報データベースと、前記携帯端末で撮影した映像データに付随する映像データファイル名と携帯端末の識別情報から得た所有者名とを格納する撮影情報データベースとを用意し、前記所有者名を基に携帯端末情報データベースから携帯端末の識別情報を検索する第１ステップと、該検索した識別情報を基に撮影情報データベースから前記識別情報に対応する所有者名を検索する第２ステップと、該検索した所有者名に対応する映像データファイル名を検索する第３ステップと、該映像データファイル名を基に映像データ記録用ディスクから映像データを検索する第４ステップとを含むことを第３の特徴とし、この映像データの登録検索方法において、前記携帯端末が、該携帯端末の緯度経度からなる位置情報を検出する位置情報検出機能と撮影時の日時を発生する日時機能を含むと共に、撮影情報データベースが、撮影日時及び又は位置情報とを格納し、位置情報と日時情報とを用いて撮影情報データベースから前記位置情報及び又は日時情報に対応する映像データファイル名を検索する第５ステップを含むことを第４の特徴とする。
【発明の効果】
【０００８】
本発明による映像データの登録検索システム及び登録検索方法は、ＴＶ電話機能ないしはライブ映像ストリーミング配信機能を有した携帯端末から、通信回線を介して映像録画・検索サーバへ映像データを送信して映像データ記録用ディスクに格納すると共に所有者名に対応した携帯端末の識別情報／日時情報／位置情報とを撮影情報データベースに格納しておき、前記所有者名に対応した携帯端末の識別情報／日時情報／位置情報を基に映像データを検査することによって、例えば外出先で撮影した映像データを効率的に探し出し活用することができる。
【発明を実施するための最良の形態】
【０００９】
以下、本発明による映像データの登録検索システム及び登録検索方法の一実施形態を図面を参照して詳細に説明する。図１は本実施形態における映像データの登録検索システムの全体構成を説明するための図、図２は本実施形態における携帯端末の機能ブロック図、図３は本実施形態における映像録画・検索サーバの機能ブロック図、図４は他の実施形態における携帯端末の機能ブロック図、図５は、撮影情報データベースの構成を説明するための図、図６は携帯端末情報データベースの構成を説明するための図、図７は本システムにおける動作を説明するための図である。
【００１０】
本実施形態による映像データの登録検索システムは、図１に示す如く、映像撮影機能と通信機能と位置情報（ＧＰＳデータ：経緯及び緯度）検知機能付きの携帯電話又はＰＤＡ等の携帯端末５と、該携帯端末５からのデータを転送するためのインターネット網等の公衆通信回線網６及び７と、これら公衆通信回線網６及び７からの受信した映像データの登録乃至検索を行うための映像録画・検索サーバ１と、携帯端末５から送られてきた映像および音声データをファイルとして格納する映像データ記録用ディスク２と、該映像データ記録用ディスク２に格納した映像ファイルとその映像撮影日時／位置情報（ＧＰＳデータ）／撮影者等の関連を格納する撮影情報データベース３と、前記携帯端末５毎の識別情報／該携帯端末の所有者名の関連を格納する携帯端末情報データベース４と、前記映像録画・検索サーバ１とＬＡＮ８を介して接続するクライアント端末であるクライアントＰＣ９とを備える。尚、撮影情報データベース３の「撮影者」フィールドには、通信時に携帯端末５から映像録画・検索サーバ１へ送信される識別情報をキーにして、携帯端末情報データベース４を検索して得られた「携帯端末の所有者名」が格納される。
【００１１】
前記携帯端末５は、図２に示す如く、映像および音声のキャプチャを行う撮影手段５ａと、該撮影手段５ａにより取得した映像信号を圧縮する映像エンコーダ５ｂと、前記撮影手段５ａにより取得した音声信号を圧縮する音声エンコーダ５ｃと、前記映像エンコーダ５ｂの出力である映像ストリームデータと前記音声エンコーダ５ｃの出力である音声ストリームデータとを多重化し、ＴＶ電話ないしはライブ映像ストリーミング配信用のプロトコルスタックを提供するビジュアルコミュニケーション提供手段５ｄと、外部とデータの送受信を行うための通信部５ｅと、撮影および通信開始時に現在時刻を知らせる時計部５ｆと、撮影および通信開始時にＧＰＳから現在地点をＧＰＳデータとして取得するＧＰＳ受信部５ｇと、図示しないＧＰＳデータ（経緯緯度）に対応した撮影場所の地名・ランドマーク・社名を格納する位置情報テーブルとを備える。尚、本構成は最小の機能ブロック構成であって、これに限定されるものではない。
【００１２】
前記映像録画・検索サーバ１は、図３に示す如く、前記公衆通信回線網６及び７又はＬＡＮ８を介してデータを送受信する通信部１ａと、前記携帯端末５から送られてきたデータを受けて、プロトコルの差異を吸収し、映像データと音声データと撮影情報データを取り出すプロトコル変換部１ｂと、該プロトコル変換部１ｂで取り出した映像データをクライアントＰＣ９で再生可能な形式に変換する映像トランスコーダ１ｃと、同様にプロトコル変換部１ｂで取り出した音声データをクライアントＰＣ９で再生可能な形式に変換する音声トランスコーダ１ｄと、映像データと音声データと撮影情報データをデータベースに格納するめたの受信データ蓄積手段１ｅと、データベース２〜４への書き込み依頼や検索依頼を受け、データベース２〜４へのアクセスを行うデータベースアクセス手段１ｆと、前記クライアントＰＣ９から映像の検索依頼を前記データベースアクセス手段１ｆに送り、その検索結果を返す映像検索手段１ｇとを備える。尚、本構成は最小の機能ブロック構成であって、これに限定されるものではない。
【００１３】
前記撮影情報データベース３は、図５に示す如く、「山田太郎」等の撮影者の氏名（所有者名）と、「２００４／７／２５  １０：５１」等の撮影日時と、ＧＰＳから取得した撮影位置情報と、映像データファイル名とを格納するものである。前記撮影位置情報は、ＧＰＳから取得した経緯・緯度であり、図示の山田太郎氏の例では撮影場所が東経１３５度２１分５１．７０４秒、北緯３４度４３分０５．１２０秒であることを表している。
【００１４】
前記携帯端末情報データベース４は、図６に示す如く、当該携帯端末固有に付与された識別情報と、該携帯端末を所有又は管理を行う者の氏名（所有者名）との対応を格納するものである。
【００１５】
さて、この様に構成した映像データの登録検索システムは、携帯端末５を用いて映像を撮影し、映像録画・検索サーバ１に前記撮影したデータを送信する場合、当該撮影した映像データや音声データに加えて当該撮影した携帯端末５の識別情報及びＧＰＳデータ（経緯・緯度）を送信し、これら送信データは、映像録画・検索サーバ１が、映像トランスコーダ１ｃ及び音声トランスコーダ１ｄ並びに受信データ蓄積手段１ｅを介し、映像データ及び音声データを映像データ記録用ディスク２への格納と、携帯端末の識別情報及び撮影日時を撮影情報データベース３への格納とを行う様に動作する。また本登録検索システムは、ＧＰＳデータ（経緯・緯度）を基に、該ＧＰＳデータを基に前記位置情報テーブルを検索し、ＧＰＳデータに対応した撮影場所の地名・ランドマーク・社名を撮影情報データベース３に追加しても良い。
【００１６】
この様に構成された映像データの登録検索システムは、例えば出張報告に撮影した映像を出張者が職場にて検索する場合、図７に示す如く、出張者がクライアントＰＣ９を用いて映像録画・検索サーバ１にアクセスし、検索条件、例えば個人氏名／出張場所／日付を指定して検索７１を行うと、該サーバ１が指定された氏名等を基に撮影情報データベース３への検索７２を行い、該当する映像データのファイル名を該サーバ１へ送信７４を行う。このとき映像録画・検索サーバ１は、所有者名に加えてＡＮＤ条件により撮影場所の名称をキーとして位置情報テーブルを参照し、当該場所に対応するＧＰＳデータを検索し、一致又は近接するＧＰＳデータ（経度緯度）を基に検索を行う。前記近接するＧＰＳデータとは、例えば東経の分及び北の分レベルまでが一致するＧＰＳデータを検索することであり、このため例えば撮影者が登録済みの撮影場所に近接した場所で撮影したＧＰＳデータを検索対象とすることができる。
【００１７】
次いで本システムは、映像録画・検索サーバ１が受信した映像データのファイル名をキーとして映像データ記録用ディスク２を検索し、該当する映像データの送信７６を行い、この映像データは映像録画・検索サーバ１を介してクライアントＰＣ９に送信７７が行われることによって、出張者が検索した映像データを日時等の情報と共に確認することができる。これによって出張者は、目的とする映像データ等を容易に検索することができ、これによって出張などの外出先で撮影した映像データを容易に且つ効率的に検索し、出張報告書を作成することができる。
【００１８】
前記実施形態においては携帯端末５が撮影のみ行い、表示はクライアントＰＣ９で行う例を示したが、本発明はこれに限られるものではなく、例えば前記携帯端末が図４に示すように、図２に示した構成に、映像デコーダ５ｈと音声デコーダ５ｉと表示手段５ｆとを追加し、記録した映像を表示できる構成としても良い。
【００１９】
また前記実施例では出張等の外出先で撮影した映像データの検索を例にとって説明したが、本発明はこの使用例に限られるものではなく、例えば映像の社内配信といった用途や、留守番ＴＶ電話サービス、被災地における映像つき伝言サービスなどのビジネスモデルも展開することができる。
【図面の簡単な説明】
【００２０】
【図１】本発明の一実施形態による映像データの登録検索システムの全体構成を説明するための図。
【図２】本実施形態における携帯端末の機能ブロック構成を示しす図。
【図３】本実施形態における映像録画・検索サーバの機能ブロック図。
【図４】他の実施形態における携帯端末の機能ブロック構成図。
【図５】本実施形態による撮影情報データベースの構成を説明するための図。
【図６】本実施形態による携帯端末情報データベースの構成を説明するための図。
【図７】本実施形態による登録検索システムの動作を説明するための図。
【符号の説明】
【００２１】
１…映像録画・検索サーバ、２…映像データ、３…撮影情報データベース、４…携帯端末情報データベース、５…携帯端末、６及び７…公衆通信回線網、８…ＬＡＮ、９…クライアントＰＣ、１ａ…通信部、１ｂ…プロトコル変換部、１ｃ…映像トランスコーダ、１ｄ…音声トランスコーダ、１ｅ…受信データ蓄積手段、１ｆ…データベースアクセス手段、５ａ…撮影手段、５ｂ…映像エンコーダ、５ｃ…音声エンコーダ、５ｄ…ビジュアルコミュニケーション提供手段、５ｅ…通信部、５ｆ…時計部、５ｇ…ＧＰＳ受信部、５ｈ…映像デコーダ、５ｉ…音声デコーダ、５ｊ…表示手段。
【図１】
2006040164.tif 000003
【図２】
2006040164.tif 000004
【図３】
2006040164.tif 000005
【図４】
2006040164.tif 000006
【図５】
2006040164.tif 000007
【図６】
2006040164.tif 000008
【図７】
2006040164.tif 000009